(57)【要約】      （修正有）【課題】一層の小型化が可能なディスク装置を提供する。【解決手段】ＨＤＤ１１０のトップカバーは、筐体であるベースの開口部を閉塞するとともに、外部表面に第１のロック部であるトップカバーエンボス１１１を有する。制御回路基板は略矩形状でベースの外面に重ねて設けられている。ボトムカバー１０８は、制御回路基板の外面に重ねて設けられ、ベースと回路基板の側部を覆う側面ガイド部とこれに連なりトップカバーの外面に重なるトップカバーガイド部とからなるガイド部とを有する。そしてボトムカバーガイド部１０８-１には、第１のロック部であるトップカバーエンボス１１１に係合する第２のロック部であるボトムカバーエンボス１０９が設けられる。【選択図】図３
2008010119.tif 000002
【特許請求の範囲】
【請求項１】
開口部を有する矩形箱状の筐体と、
前記筐体内に配設されたディスク状の記録媒体と、
前記筐体内に設けられ、ヘッドを移動自在に支持しているとともに前記ヘッドを前記記録媒体に対して移動させるヘッドサブアセンブリと、
前記筐体の開口部を閉塞するとともに、外部表面に第１のロック部を有するトップカバーと、
略矩形状で前記筐体の外面に重ねて設けられた制御回路基板と、
前記制御回路基板の外面に重ねて設けられ、前記筐体と前記回路基板の側部を覆う側面ガイド部とこれに連なり前記トップカバーの外面に重なるトップカバーガイド部とからなるガイド部と前記ガイド部に設けられ前記第１のロック部に係合する第２のロック部とを有するボトムカバーと
を有することを特徴とするディスク装置。
【請求項２】
前記第１のロック部と前記第２のロック部はエンボスである
ことを特徴とする請求項１に記載のディスク装置。
【請求項３】
前記第１のロック部は前記トップカバーの外面に突出する突起で、前記第２のロック部は前記第１のロック部に接触する爪状部である
ことを特徴とする請求項１に記載のディスク装置。
【請求項４】
前記第１のロック部は前記トップカバーの外面から窪んだ凹部で、前記第２のロック部は前記第１のロック部に接触し前記凹部を押圧する爪状部である
ことを特徴とする請求項１に記載のディスク装置。
【請求項５】
開口部を有する矩形箱状の筐体と、
前記筐体内に配設されたディスク状の記録媒体と、
前記筐体内に設けられ、ヘッドを移動自在に支持しているとともに前記ヘッドを前記記録媒体に対して移動させるヘッドサブアセンブリと、
前記筐体の開口部を閉塞するトップカバーと、
略矩形状で前記筐体の外面に重ねて設けられた制御回路基板と、
前記制御回路基板の外面に重ねてスライド可能に取り付けられ、前記筐体と前記回路基板の側部を覆う側面ガイド部とこれに連なり前記トップカバーの外面に重なるトップカバーガイド部とからなるガイド部とを有するボトムカバーと
を有することを特徴とするディスク装置。
【請求項６】
前記トップカバーの外部表面に設けられた第１のロック部と、前記ガイド部に設けられた第２のロック部とが係合することで前記トップカバーと前記ボトムカバーを固定する
ことを特徴とする請求項５に記載のディスク装置。
【発明の詳細な説明】
【技術分野】
【０００１】
この発明は、記録媒体としてのディスクを有したディスク装置に関する。
【背景技術】
【０００２】
近年、コンピュータの外部記録装置や画像記録装置として磁気ディスク装置、光ディスク装置などのディスク装置が広く用いられている。
ディスク装置として、例えば、磁気ディスク装置は、一般に、矩形箱状の筐体を有している。筐体内には、磁気記録媒体としての磁気ディスク、この磁気ディスクを支持および回転させる駆動手段としてのスピンドルモータ、磁気ディスクに対して情報の書き込み、読み出しを行なう複数の磁気ヘッド、これらの磁気ヘッドを磁気ディスクに対して移動自在に支持したヘッドアクチュエータ、ヘッドアクチュエータを回動および位置決めするボイスコイルモータ、ヘッドＩＣ等を有する基板ユニット等が収納されている。
【０００３】
筐体の外面には、基板ユニットを介してスピンドルモータ、ボイスコイルモータ、および磁気ヘッドの動作を制御するプリント回路基板がねじ止めされている。プリント回路基板の端部には、磁気ディスク装置を他の外部機器に接続するためのインターフェース（Ｉ／Ｆ）コネクタが半田付けされている。
【０００４】
磁気ディスク装置として、カード状に薄く形成され、例えばパーソナルコンピュータのカードスロットに装填可能としたものが提供されている（例えば、特許文献１）。このようなカード状の磁気ディスク装置では、従来の磁気ディスク装置に比較して薄型、かつ、小型にする必要があるため、板状のベースに種々の構成要素を実装するとともに、ベースの周縁に沿って支持枠を固定し、更に、この支持枠に板状のトップカバーを取付けている。また、ベースの裏面側にプリント回路基板を設け、プリント回路基板上のＩ／Ｆコネクタは、支持枠に設けられた専用の固定部材により位置決め保持されている。
【特許文献１】特開２００１−２１００５８号公報
【発明の開示】
【発明が解決しようとする課題】
【０００５】
近年では、磁気ディスク装置をより多種の電子機器、特に、より小型の電子機器の記録装置として用いることができるように、磁気ディスク装置の一層の小型化が進められている。しかしながら、磁気ディスク装置を小型にする場合においても、ディスク装置の基本的構成要素を削減することはできず、小型のベース上に充分な設置スペース確保することが困難となる。また、プリント回路基板を筐体に固定する際、通常ネジが使用される。また、筐体内部を閉塞するトップカバーを筐体に固定する場合にもネジが使用されていた。しかしながら、装置の超小型化に伴いこのネジ及びこれを受けるネジ孔を筐体に設けることも困難になってきている。
【０００６】
この発明は以上の点に鑑みなされたもので、その目的は、部品点数を削減し一層の小型化が可能なディスク装置を提供することにある。
【課題を解決するための手段】
【０００７】
上記目的を達成するため、この発明に係るディスク装置は、開口部を有する矩形箱状の筐体と、前記筐体内に配設されたディスク状の記録媒体と、前記筐体内に設けられ、ヘッドを移動自在に支持しているとともに前記ヘッドを前記記録媒体に対して移動させるヘッドサブアセンブリと、前記筐体の開口部を閉塞するとともに、外部表面に第１のロック部を有するトップカバーと、略矩形状で前記筐体の外面に重ねて設けられた制御回路基板と、前記制御回路基板の外面に重ねて設けられ、前記筐体と前記回路基板の側部を覆う側面ガイド部とこれに連なり前記トップカバーの外面に重なるトップカバーガイド部とからなるガイド部と前記ガイド部に設けられ前記第１のロック部に係合する第２のロック部とを有するボトムカバーとを有している。
【０００８】
また、この発明に係るディスク装置は、開口部を有する矩形箱状の筐体と、前記筐体内に配設されたディスク状の記録媒体と、前記筐体内に設けられ、ヘッドを移動自在に支持しているとともに前記ヘッドを前記記録媒体に対して移動させるヘッドサブアセンブリと、前記筐体の開口部を閉塞するトップカバーと、略矩形状で前記筐体の外面に重ねて設けられた制御回路基板と、前記制御回路基板の外面に重ねてスライド可能に取り付けられ、前記筐体と前記回路基板の側部を覆う側面ガイド部とこれに連なり前記トップカバーの外面に重なるトップカバーガイド部とからなるガイド部とを有するボトムカバーとを有している。
【発明の効果】
【０００９】
以上述べたように、この発明によれば、トップカバーとボトムカバーにそれぞれ第１、第２のロック部を設け、これを係合させることにより、固定用のネジを不要とし、部品点数を削減し一層の小型化が可能なディスク装置を提供することができる。
【発明を実施するための最良の形態】
【００１０】
以下図面を参照しながら、この発明をハードディスクドライブ（以下ＨＤＤと称する）に適用した実施形態について詳細に説明する。
（第１の実施形態）
図１乃至図６を用いて本発明の第１の実施形態について説明する。
図１は、本実施例によるＨＤＤの概略図を示す。
本実施形態のＨＤＤは、板金製のベース１０１にスピンドルモータ（図示省略）が固定され、そのスピンドルモータに磁気ディスク１０２が取り付けられクランパリング１０３によって固定される。
【００１１】
磁気ディスク１０２に対し、データの記録再生を行うヘッド（図示省略）を有するヘッドサブアセンブリ（ＨＳＡ）１０５を支持するユニットベアリング（図示省略）を回転中心として駆動させる駆動源であるボイスコイルモータ（ＶＣＭ）１０４により駆動し、磁気ディスク１０２上のデータを記録再生する構成となっている。
【００１２】
また、記録再生時以外および、停止時、ヘッドサブアセンブリ（ＨＳＡ）１０５は、ランプアセンブリ１０６に退避している状態となり、衝撃を受けた際にヘッドサブアセンブリ（ＨＳＡ）１０５のヘッドが磁気ディスク１０２に接触することを防止する構造となっている。
【００１３】
開口部を有する矩形箱状の筐体であるベース１０１の内部に上記の部品がそれぞれ構成され、これをトップカバー１０７によって閉塞することによって、装置内部を密閉し、気密状態を保つ構造となっている。
【００１４】
図２乃至４は、本実施形態におけるボトムカバーの実装方法説明図である。
本実施形態におけるボトムカバー１０８は、板金加工品され所定の形状に形成されている。
ボトムカバー１０８の両側面のコの字部分、すなわちボトムカバーガイド部１０８にＨＤＤ１１０を嵌め込むようにスライドさせ挿入する。
図３に示すようにボトムカバーガイド部１０８−１の奥に第２のロック部であるボトムカバーエンボス１０９がＨＤＤ１１０側、すなわち対向するトップカバー１０７の外面に向かって突起している。
【００１５】
また、トップカバー１０７の外面にもこの第２のロック部であるボトムカバーエンボス１０９に対向するようにＨＤＤ１１０の筐体内部に向かう方向に第１のトップカバーエンボス１１１が設けられている。
【００１６】
図４は、ＨＤＤ１１０をボトムカバー１０８の奥まで、スライドさせ挿入した状態の図であり、図５の実装時の断面図に示すようにトップカバーエンボス１１１とボトムカバーエンボス１０９が嵌まり合うことにより、ＨＤＤ１１０にボトムカバー１０８が固定される。
【００１７】
これにより、トップカバー１０７とボトムカバー１０８の固定にネジ等の部品が必要なくなる。
なお、本実施形態においては、第１、第２のロック部がペアで１箇所のみ設けてある例で説明したが、１箇所に限らず２箇所以上設けることも可能である。
以上述べたように開口部を有する矩形箱状の筐体であるベース１０１の内部に、ディスク状の記録媒体１０２、ヘッドを移動自在に支持しているとともにこのヘッドを記録媒体１０２に対して移動させるヘッドサブアセンブリ１０５とをその内部に設けている。
【００１８】
さらに、筐体であるベース１０１の開口部を閉塞するとともに、外部表面に第１のロック部であるトップカバーエンボス１１１を有するトップカバー１０７と、略矩形状でベース１０１の外面に重ねて設けられた制御回路基板１００が配置される。
【００１９】
さらに、この制御回路基板１００の外面に重ねて設けられ、ベース１０１と回路基板１００の側部を覆う側面ガイド部とこれに連なりトップカバー１０７の外面に重なるトップカバーガイド部とからなるガイド部１０８−１とのガイド部１０８-１に設けられ第１のロック部であるトップカバーエンボス１１１に係合する第２のロック部であるボトムカバーエンボス１０９とを有するボトムカバー１０８が設けられ、ＨＤＤを構成している。
【００２０】
以上の構成により、トップカバー１０７とボトムカバー１０８にそれぞれ第１、第２のロック部であるトップカバーエンボス１１１、ボトムカバーエンボス１０９を設け、これを係合させることで、固定用のネジを不要とし、部品点数を削減し一層の小型化が可能なディスク装置を提供することが可能となる。
【００２１】
（第２の実施形態）
図６乃至図７を用いて本発明の第２の実施形態について説明する。
図６、７は、本発明の第２の実施形態であり、トップカバー１０７ａに第１のロック部であるロック突起１１３を設け、ボトムカバー１０８ａのガイド部に、ロック突起１１３に係合するロック爪１１２を設ける。
【００２２】
上述の第１の実施形態と同様にＨＤＤ１１０ａをスライドさせボトムカバー１０８ａに挿入する。
ＨＤＤ１１０ａをスライドさせていくと、ボトムカバー１０８ａのガイド部に設けられたロック爪１１２は、ロック突起スロープ１１３ａに乗り上げ、ロック爪部１１２が弾性変形してロック突起１１３を乗り越え固定される。
【００２３】
なお、本実施形態においては、ロック突起１１３はトップカバー外面上に２箇所設けてある例で説明したが、１箇所、または、３箇所以上設けることも可能である。
以上述べたように第１のロック部はトップカバー１０７ａの外面に突出する突起であるロック突起１１３、第２のロック部はこの第１のロック部であるロック突起１１３に接触する爪状のロック爪部１１２となっている。
【００２４】
以上の構成により、トップカバー１０７ａとボトムカバー１０８ａにそれぞれ第１、第２のロック部であるロック突起１１３、ロック爪部１１２を設け、これを係合させることで、固定用のネジを不要とし、部品点数を削減し一層の小型化が可能なディスク装置を提供することが可能となる。
【００２５】
（第３の実施形態）
図８乃至図９を用いて本発明の第３の実施形態について説明する。
図８，９は、本発明の第３の実施形態であり、トップカバー１０７ｂに第１のロック部でトップカバー１０７ｂの外面が窪んだ凹状のロック凹部１１５を設け、ボトムカバー１０８ｂのガイド部に、ロック凹部１１５に係合するロック爪１１４を設ける。
【００２６】
上述の第１の実施形態と同様にＨＤＤ１１０ｂをスライドさせボトムカバー１０８ｂに挿入する。
ＨＤＤ１１０ｂをスライドさせていくと、ＨＤＤ１１０ｂの外形部に当たりロック爪１１４が弾性変形する。ロック爪１１４が弾性変形したまま更にＨＤＤ１１０ｂを押し込むと、ロック凹部１１５に嵌り、ボトムカバー１１８ｂがＨＤＤ１１０ｂに固定される。
【００２７】
なお、本実施形態においては、ロック凹部１１５とロック爪１１４のペアが１箇所のみ設けてある例で説明したが、１箇所に限らず２箇所以上設けることも可能である。
【００２８】
以上述べたように第１のロック部はトップカバー１０７ｂの外面から窪んだロック凹部１１５で、第２のロック部はこの第１のロック部であるロック凹部１１５に接触し、このロック凹部１１５を押圧する爪状のロック爪１１４となっている。
【００２９】
以上の構成により、トップカバー１０７ｂとボトムカバー１０８ｂにそれぞれ第１、第２のロック部であるロック凹部１１５、ロック爪１１４を設け、これを係合させることで、固定用のネジを不要とし、部品点数を削減し一層の小型化が可能なディスク装置を提供することが可能となる。
【００３０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
例えば、磁気ディスクの枚数は１枚に限らず、必要に応じて増加可能である。磁気ディスクは、０．８５インチに限らず、１．８インチあるいは２．５インチとしてもよい。また、制御回路基板は、接続ケーブルに代えて、外部機器と接続するためのコネクタを備えた構成としてもよい。
【図面の簡単な説明】
【００３１】
【図１】本発明の実施形態に係るＨＤＤの内部構造を示す分解斜視図。
【図２】第１の実施形態に係るＨＤＤとボトムカバーを示す分解斜視図。
【図３】第１の実施形態に係るＨＤＤの第１、第２のロック部の構造を示す図。
【図４】第１の実施形態に係るＨＤＤの第１、第２のロック部の嵌合状態を示す図。
【図５】第１の実施形態に係るＨＤＤの第１、第２のロック部の嵌合状態を示す断面図と正面図。
【図６】第２の実施形態に係るＨＤＤとボトムカバーを示す分解斜視図。
【図７】第２の実施形態に係るＨＤＤの第１、第２のロック部の構造を示す図。
【図８】第３の実施形態に係るＨＤＤとボトムカバーを示す分解斜視図。
【図９】第３の実施形態に係るＨＤＤの第１、第２のロック部の構造を示す図。
【符号の説明】
【００３２】
１００…制御回路基板、１０１…ベース筐体、  １０２…磁気ディスク、
１０３…クランパリング、１０４…ボイスコイルモータ（ＶＣＭ）、
１０５…ヘッドサブアセンブリ（ＨＳＡ）、１０６…ランプアセンブリ、
１０７…トップカバー、１０８…ボトムカバー、
１０８−１…ボトムカバーガイド部、  １０９…ボトムカバーエンボス、
１１０…ＨＤＤ、１１１…トップカバーエンボス、１１２…ロック爪部、
１１３…ロック突起、１１４…ロック爪、１１５…ロック凹部
【図１】
2008010119.tif 000003
【図２】
2008010119.tif 000004
【図３】
2008010119.tif 000005
【図４】
2008010119.tif 000006
【図５】
2008010119.tif 000007
【図６】
2008010119.tif 000008
【図７】
2008010119.tif 000009
【図８】
2008010119.tif 000010
【図９】
2008010119.tif 000011